(57)【要約】  【課題】作業の効率化を図ることができる農作業機を提供する。  【解決手段】農作業機１は、耕耘作業をする耕耘手段７と、整地作業をする整地手段13と、被散布物を散布口50から散布する散布手段51とを具備する。整地手段13は、第１の整地体15と、溝形成部31を有する第２の整地体22と、覆土部33を有する第３の整地体27とを備える。散布口50からの被散布物が溝形成部31による溝内に入り、この溝内の被散布物に対して覆土部33が土を被せる。  【選択図】図１
2005348616.tif 000002
【特許請求の範囲】
【請求項１】
回転しながら耕耘作業をする耕耘手段と、
この耕耘手段の後方で整地作業をする整地手段と、
被散布物を散布口から散布する散布手段とを具備し、
前記整地手段は、
第１の整地体と、
この第１の整地体に上下回動可能に設けられた第２の整地体と、
この第２の整地体に上下回動可能に設けられた第３の整地体とを備え、
前記散布口からの被散布物が前記第２の整地体および前記第３の整地体間の位置に散布される
ことを特徴とする農作業機。
【請求項２】
回転しながら耕耘作業をする耕耘手段と、
この耕耘手段の後方で整地作業をする整地手段と、
被散布物を散布口から散布する散布手段とを具備し、
前記整地手段は、
第１の整地体と、
この第１の整地体に上下回動可能に設けられ、溝形成部を有する第２の整地体と、
この第２の整地体に上下回動可能に設けられ、覆土部を有する第３の整地体とを備え、
前記散布口からの被散布物が前記第２の整地体の前記溝形成部にて形成された溝内に散布され、この溝内の被散布物上に前記第３の整地体の前記覆土部にて土が被せられる
ことを特徴とする農作業機。
【請求項３】
第３の整地体は、第２の整地体に対して着脱可能となっている
ことを特徴とする請求項１または２記載の農作業機。
【請求項４】
散布手段は、
被散布物が収納される収納部と、
この収納部に基端部が接続され先端部に散布口が形成され、前記収納部内からの被散布物を第２の整地体および第３の整地体間の位置まで誘導する誘導部とを有する
ことを特徴とする請求項１ないし３のいずれか一記載の農作業機。
【発明の詳細な説明】
【技術分野】
【０００１】
本発明は、作業の効率化を図ることができる農作業機に関するものである。
【背景技術】
【０００２】
従来、例えば回転しながら耕耘作業をするロータリ式の耕耘手段と、第１の整地体（均平板）および第２の整地体（レーキ板）を有し耕耘手段の後方で整地作業をする整地手段とを具備した農作業機（代掻き装置）が知られている（例えば、特許文献１参照）。
【特許文献１】特開２００２−５８３０４号公報
【発明の開示】
【発明が解決しようとする課題】
【０００３】
しかしながら、上記従来の農作業機は、耕耘整地作業のみ可能な専用機であるため、例えば耕耘整地作業と同時に播種をしたり或いは耕耘整地作業と同時に施肥をしたりできず、作業の効率化を図れないという問題がある。
【０００４】
本発明は、このような点に鑑みなされたもので、作業の効率化を図ることができる農作業機を提供することを目的とする。
【課題を解決するための手段】
【０００５】
請求項１記載の農作業機は、回転しながら耕耘作業をする耕耘手段と、この耕耘手段の後方で整地作業をする整地手段と、被散布物を散布口から散布する散布手段とを具備し、前記整地手段は、第１の整地体と、この第１の整地体に上下回動可能に設けられた第２の整地体と、この第２の整地体に上下回動可能に設けられた第３の整地体とを備え、前記散布口からの被散布物が前記第２の整地体および前記第３の整地体間の位置に散布されるものである。
【０００６】
そして、耕耘整地作業のみ可能な専用機と散布作業のみ可能な専用機との両方をそれぞれ使用して作業をする必要がなく、耕耘整地作業と同時に散布作業ができるため、作業の効率化が図られる。
【０００７】
請求項２記載の農作業機は、回転しながら耕耘作業をする耕耘手段と、この耕耘手段の後方で整地作業をする整地手段と、被散布物を散布口から散布する散布手段とを具備し、前記整地手段は、第１の整地体と、この第１の整地体に上下回動可能に設けられ、溝形成部を有する第２の整地体と、この第２の整地体に上下回動可能に設けられ、覆土部を有する第３の整地体とを備え、前記散布口からの被散布物が前記第２の整地体の前記溝形成部にて形成された溝内に散布され、この溝内の被散布物上に前記第３の整地体の前記覆土部にて土が被せられるものである。
【０００８】
そして、耕耘整地作業のみ可能な専用機と散布作業のみ可能な専用機との両方をそれぞれ使用して作業をする必要がなく、耕耘整地作業と同時に散布作業ができるため、作業の効率化が図られる。
【０００９】
請求項３記載の農作業機は、請求項１または２記載の農作業機において、第３の整地体は、第２の整地体に対して着脱可能となっているものである。
【００１０】
そして、散布作業が不要な場合に第３の整地体を第２の整地体から取り外すことが可能である。
【００１１】
請求項４記載の農作業機は、請求項１ないし３のいずれか一記載の農作業機において、散布手段は、被散布物が収納される収納部と、この収納部に基端部が接続され先端部に散布口が形成され、前記収納部内からの被散布物を第２の整地体および第３の整地体間の位置まで誘導する誘導部とを有するものである。
【００１２】
そして、散布手段の誘導部にて収納部内からの被散布物を第２の整地体および第３の整地体間の位置まで適切に誘導することが可能である。
【発明の効果】
【００１３】
請求項１に係る発明によれば、耕耘整地作業のみ可能な専用機と散布作業のみ可能な専用機との両方をそれぞれ使用して作業をする必要がなく、耕耘整地作業と同時に散布作業ができるため、作業の効率化を図ることができる。
【００１４】
請求項２に係る発明によれば、耕耘整地作業のみ可能な専用機と散布作業のみ可能な専用機との両方をそれぞれ使用して作業をする必要がなく、耕耘整地作業と同時に散布作業ができるため、作業の効率化を図ることができる。
【００１５】
請求項３に係る発明によれば、散布作業が不要な場合に第３の整地体を第２の整地体から取り外すことができる。
【００１６】
請求項４に係る発明によれば、散布手段の誘導部にて収納部内からの被散布物を第２の整地体および第３の整地体間の位置まで適切に誘導することができる。
【発明を実施するための最良の形態】
【００１７】
本発明の農作業機の一実施の形態を図面を参照して説明する。
【００１８】
図１ないし図３において、１は農作業機で、この農作業機１は、スタンド２が外され走行車であるトラクタ（図示せず）に連結された状態で、そのトラクタの走行により圃場を前方に移動しながら、耕耘整地作業と同時に散布作業（播種作業、施肥作業等）をする散布装置兼代掻き装置である。
【００１９】
農作業機１は、左右方向長手状の機体３を備え、この機体３は３点連結部４を有し、この３点連結部４がトラクタの３点リンク部に連結される。また、機体３は左右方向中央に入力軸保持部５を有し、この入力軸保持部５には入力軸６が回転可能に設けられ、この入力軸６がトラクタのＰＴＯ軸に伝動シャフト等を介して連結される。
【００２０】
そして、機体３には入力軸６側からの動力で回転しながら耕耘作業をするロータリ式の耕耘手段７が回転可能に設けられている。この耕耘手段７は、互いに離間対向したチェーンケース部８およびブラケット部９間にわたって架設された耕耘軸10を有し、この耕耘軸10には複数の耕耘爪11が放射状に設けられている。
【００２１】
また、機体３には耕耘手段７の後方で整地作業をして圃場の表面部Ａを水平面状に平らにする整地手段13が上下方向に回動可能に設けられている。
【００２２】
整地手段13は、左右方向長手状で傾斜面状の整地面部14で整地作業をする少なくとも上下回動可能な第１の整地体（均平板）15を有し、この第１の整地体15は耕耘手段７の上方部を覆うカバー部16の後端部にゴム板17を介して設けられている。
【００２３】
また、第１の整地体15の後端部には、左右方向長手状で水平面状の整地面部21で整地作業をする第２の整地体（第１レーキ板）22がこの第２の整地体22の前端側の左右方向の軸部（回動中心軸線）23を中心として上下回動可能に設けられている。
【００２４】
さらに、第２の整地体22の後端部には、第２の整地体22の整地面部21の後方位置において左右方向長手状で水平面状の整地面部26で整地作業をする第３の整地体（第２レーキ板）27がこの第３の整地体27の前端側の左右方向の軸部（回動中心軸線）28を中心として上下回動可能に設けられている。
【００２５】
ここで、図３ないし図５に示すように、第２の整地体22は、圃場の表面部Ａに溝Ｂを形成する複数の溝形成部31を後端部に有している。各溝形成部31は、略三角形状の孔部分32を有する形状のもので、整地面部21の後部から下方に向ってやや突出し、その突出量が溝形成部31の前端から後端に向って徐々に大きくなっている。
【００２６】
また、第３の整地体27は、圃場の表面部Ａに形成された溝Ｂ内の被散布物（種子、肥料等）Ｗ上に土を被せる複数組（近接した左右一対で１組をなす）の覆土部33を前端部に有している。各覆土部33は、溝形成部31と同一形状つまり略三角形状の孔部分34を有する形状のもので、整地面部26の前部から下方に向ってやや突出し、その突出量が覆土部33の前端から後端に向って徐々に大きくなっている。なお、各組の覆土部33は、対応する１つの溝形成部31の後方部両側位置で、圃場の表面部Ａに溝Ｃを形成するようにして溝形成部31による溝Ｂ内に土を移動させてその溝Ｂ内の被散布物Ｗに対して覆土を行う。
【００２７】
さらに、第３の整地体27は、第２の整地体22に対して着脱可能となっている。すなわち、第２の整地体22の両側面部36の後端部および第３の整地体27の両側面部37の前端部にはそれぞれピン用孔38，39が形成され、これらピン用孔38，39には左右方向の軸部28を構成するフランジ付のピン40が挿通され、このピン40には止めピン（Ｒピン）41が装着されている。
【００２８】
そして、止めピン41をピン40から外してからそのピン40をピン用孔38，39から抜くことにより、第３の整地体27を第２の整地体22から取り外せる。逆に、ピン40をピン用孔38，39に挿通してからそのピン40に止めピン41を装着することにより、第３の整地体27を第２の整地体22に取り付けることができる。
【００２９】
なお、第２の整地体22の両側面部36の後端部には、例えば左右方向のピンにて構成されたストッパ部42が設けられている。このストッパ部42は、第３の整地体27の側面部37の前端部下面との当接により第３の整地体27が必要以上に下方回動するのを規制する。
【００３０】
また一方、機体３には種子、肥料等の被散布物Ｗを散布口50から局所的に散布する散布手段51が設けられている。
【００３１】
散布手段51は、被散布物Ｗが収納される収納部52を有し、この収納部52は、被散布物Ｗを所定量ずつ繰り出す繰出手段53を下部に有するもので、機体３の支持フレーム部54にて支持されている。
【００３２】
また、散布手段51は、収納部52内からの被散布物Ｗを第２の整地体22および第３の整地体27間の位置であって第２の整地体22の溝形成部31の後方位置まで誘導する細長い筒状で可撓性のある誘導部55を有している。
【００３３】
この誘導部55は、例えば可撓性ホースにて構成されたもので、この誘導部55の基端部である上端部は収納部52の繰出手段53の接続口部53aに接続され、この誘導部55の先端部である下端部には第２の整地体22の溝形成部31の後方位置において斜め後方に向って開口する略円形状の散布口50が形成されている。
【００３４】
そして、この可撓性ホースにて構成された誘導部55は図示しない固定手段で固定され、この誘導部55の下端部は第２の整地体22および第３の整地体27間の空間部56に差し込まれた状態で第２の整地体22の溝形成部31の後方近傍に位置する。
【００３５】
次に、上記農作業機１を使用して作業をする場合について説明する。
【００３６】
農作業機１をトラクタの走行により圃場上を前方に移動させると、耕耘手段７の耕耘爪11にて耕耘作業が行われ、整地手段13の第１〜第３の整地体15，22，27にて整地作業が行われ、散布手段51にて被散布物Ｗの散布作業が行われる。すなわち耕耘整地作業と同時に散布作業が行われる。
【００３７】
このとき、図５（ｂ）に示すように、散布手段51の誘導部55の先端部に形成された散布口50からの被散布物Ｗが整地手段13の第２の整地体22の下方突出状の溝形成部31にて圃場の表面部Ａに形成された溝Ｂ内に散布され、この溝Ｂ内に散布された被散布物Ｗ上に第３の整地体27の下方突出状の覆土部33にて土が被せられる。その後、第３の整地体27の整地面部26における覆土部33後方の部分にて圃場の表面部Ａが水平面状に平らに整地され、覆土部33にて形成された溝Ｃがなくなる。
【００３８】
このように上記一実施の形態の農作業機１によれば、耕耘整地作業のみ可能な専用機と散布作業のみ可能な専用機との両方をそれぞれ使用して作業をする必要がなく、１台の農作業機１を使用して耕耘整地作業と同時に散布作業、すなわち例えば耕耘整地作業と同時に播種作業或いは耕耘整地作業と同時に施肥作業等ができるため、作業の効率化を図ることができる。
【００３９】
また、荒代等の代掻き時において被散布物Ｗの散布作業をしないような場合には、止めピン41をピン40から外してからそのピン40をピン用孔38，39から抜くことにより第３の整地体27を第２の整地体22から容易に取り外すことができる。
【図面の簡単な説明】
【００４０】
【図１】本発明の農作業機の一実施の形態を示す側面図である。
【図２】同上農作業機の背面図である。
【図３】同上農作業機の平面図である。
【図４】同上農作業機のレーキ部分の側面図である。
【図５】（ａ）は同上レーキ部分の平面図で、（ｂ）はそのレーキ部分による作用説明図である。
【符号の説明】
【００４１】
１    農作業機
７    耕耘手段
13    整地手段
15    第１の整地体
22    第２の整地体
27    第３の整地体
31    溝形成部
33    覆土部
50    散布口
51    散布手段
52    収納部
55    誘導部
Ｂ    溝
Ｗ    被散布物
【図１】
2005348616.tif 000003
【図２】
2005348616.tif 000004
【図３】
2005348616.tif 000005
【図４】
2005348616.tif 000006
【図５】
2005348616.tif 000007